(57)【要約】【課題】用紙の両側に水を付与して加湿を行う場合、表面と裏面とで、加湿が均等でなくなることにより、用紙にカールが生ずることを防止する。【解決手段】用紙を鉛直方向に搬送する搬送路の両側に加湿手段を対称に配置して、搬送路を搬送される用紙に対して加湿を行う。【選択図】図４
2007286151.tif 000002
【特許請求の範囲】
【請求項１】
用紙を下方又は上方に案内するほぼ鉛直な用紙搬送路及び前記用紙搬送路を挟んで両側にほぼ対称に配置された一対の加湿手段を有することを特徴とする用紙加湿装置。
【請求項２】
前記一対の加湿手段はそれぞれ、給水部、該給水部から水が供給される給水ローラ及び該給水ローラからの水を受け取って用紙に付与する加湿ローラを有することを特徴とする請求項１に記載の用紙加湿装置。
【請求項３】
前記一対の加湿手段において、前記給水部から前記加湿ローラの加湿位置までの給水経路の長さが互いにほぼ等しいことを特徴とする請求項２に記載の用紙加湿装置。
【請求項４】
前記一対の加湿手段はそれぞれ、給水量を規制する規制部材を有することを特徴とする請求項１〜３のいずれか１項に記載の用紙加湿装置。
【請求項５】
用紙に画像を形成する画像形成部及び加熱により画像を定着する定着手段を有する画像形成装置、請求項１〜４のいずれか１項に記載の用紙加湿装置並びに用紙後処理装置を有し、前記画像形成装置と前記用紙後処理装置との間に前記用紙加湿装置が配置されたことを特徴とする画像形成システム。
【発明の詳細な説明】
【技術分野】
【０００１】
本発明は用紙に水を付与する用紙加湿装置及び斯かる用紙加湿装置を備えた画像形成システムに関する。
【背景技術】
【０００２】
電子写真プロセスによる画像形成は周知のように、帯電、露光及び現像によりトナー像を形成し、形成したトナー像を用紙に転写し、用紙に転写されたトナー像を定着するというプロセスにより画像を形成するものである。
【０００３】
このプロセス中の定着工程においては、熱と圧力とによりトナーを溶融し、用紙に画像を定着することが行われるが、その際に、熱により用紙から水分が蒸発する現象が起こる。更に、定着後に用紙が外気に曝されることにより、用紙が外気から水分を吸収する現象が起こる。
【０００４】
このような水分の蒸発及び水分の吸収は用紙の表裏面で違う割合で起こるために、用紙に波打ちやカールが発生するという問題がある。
【０００５】
図１（ａ）に示すように凹凸が形成される現象が波打ちと呼ばれ、図１（ｂ）、（ｃ）に示すように用紙が一方向に湾曲する現象がカールと呼ばれている。
【０００６】
これらの現象は、画像形成後に用紙に対して施される各種の後処理において、用紙搬送上や処理上のトラブルの原因になると言った問題、製本処理では、嵩張る冊子が形成されるなど像形成及び後処理によりできあがった製品の品質を低下させると言った問題、装置から排出された用紙が不揃いで、集積に不具合を来すと言った問題等を引き起こすために、波打ちやカールに対する対策が必要である。
【０００７】
特許文献１では、用紙に水蒸気を吹き付けることにより用紙を加湿し、波打ちやカールの問題を解決することが提案されているが、給水量の制御性に優れる、水蒸気による加湿装置近傍への影響がない、装置がコンパクトにできる等の点から加湿ローラを用いた加湿装置が注目され、この種の加湿装置について検討されている。
【０００８】
特許文献２では、用紙を水平に搬送する搬送路の上下に加湿ローラを設け、上方の加湿ローラと下方の加湿ローラとにより、用紙の表裏面に水を付与する加湿装置が提案されている。特許文献２では、上方の加湿ローラ及び下方の加湿ローラそれぞれに給水槽から水が供給される。
【０００９】
特許文献３では、一対の加湿ローラで用紙を水平に搬送し、上方の加湿ローラと下方の加湿ローラとにより用紙の表裏面に水を付与する加湿装置が提案されている。特許文献３では、下方の加湿ローラの下に給水槽が設けられ、下方の加湿ローラには給水槽から水が供給されるが、上方の加湿ローラには、下方の加湿ローラを介して水が供給される。
【特許文献１】特開平４−３３８０６０号公報
【特許文献２】米国特許第６０５２５５３号明細書
【特許文献３】特開２００６−８２８２号公報
【発明の開示】
【発明が解決しようとする課題】
【００１０】
加湿によって波打ちやカールが矯正されるが、加湿の際に水の供給が用紙の表面側と裏面側とで均等に行われないと、加湿により用紙にカールが生ずる場合がある。
【００１１】
即ち、相対的に多量の水が付与された側の層が反対側の層に対して膨張するために、給水量の多い側に凸となるようなカールが発生する。
【００１２】
特許文献２では、用紙の両側から水を付与しているが、水供給源である給水槽の水面から加湿ローラが用紙に接触する水付与位置までの水供給経路が、上側の加湿手段と下側の加湿手段とで異なるために、用紙の両側から水を均等に供給することが困難である。
【００１３】
加湿装置の調整によって、均等になるように調整したとしても、経時変化により両側の給水量のバランスが崩れてカールが発生する場合がある。また、特許文献２の加湿装置では、水供給経路を３個以上のローラで形成する必要があり、ローラの数が多くなって装置が大型になるという問題がある。
【００１４】
特許文献３においては、上側の加湿ローラからの水供給量が下側の加湿ローラからの水供給量に比較して少なくなる傾向があり、カールが発生しやすい。
【００１５】
また、特許文献２、３のように用紙を水平に搬送して加湿を行う加湿装置においては、図２に示すように、用紙に付与された水が重力により下方に移動して、用紙の厚み方向の含水量のバランスが変化してカ−ルが発生する場合があるという問題もある。図２では用紙Ｓに含まれる水分を模式的に小円ｗで示している。
【００１６】
本発明は、加湿ローラを用いた従来の加湿装置における前記のような問題を解決し、長期間にわたって、カールを起こすことなく、安定して作動する加湿装置を提供することを目的とする。
【課題を解決するための手段】
【００１７】
前記目的は下記の発明により達成される。
１．
用紙を下方又は上方に案内するほぼ鉛直な用紙搬送路及び前記搬送路を挟んで両側にほぼ対称に配置された一対の加湿手段を有することを特徴とする用紙加湿装置。
２．
前記一対の加湿手段はそれぞれ、給水部、該給水部から水が供給される給水ローラ及び該給水ローラからの水を受け取って用紙に付与する加湿ローラを有することを特徴とする前記１に記載の用紙加湿装置。
３．
前記一対の加湿手段において、前記給水部から前記加湿ローラの加湿位置までの給水経路の長さが互いにほぼ等しいことを特徴とする前記２に記載の用紙加湿装置。
４．
前記一対の加湿手段はそれぞれ、給水量を規制する規制部材を有することを特徴とする前記１〜３のいずれか１項に記載の用紙加湿装置。
５．
用紙に画像を形成する画像形成部及び加熱により画像を定着する定着手段を有する画像形成装置、前記１〜４のいずれか１項に記載の用紙加湿装置並びに用紙後処理装置を有し、前記画像形成装置と前記用紙後処理装置との間に前記用紙加湿装置が配置されたことを特徴とする画像形成システム。
【発明の効果】
【００１８】
本発明により、用紙を鉛直方向に搬送し用紙の両側から水を付与するので、用紙の両側から均等に水が付与され、カールを起こすことなく加湿を行うことが可能となる。しかも、このような用紙両側からの均等な給水が長期間にわたって維持されるので、安定して作動する加湿装置が実現される。
【発明を実施するための最良の形態】
【００１９】
以下図示の実施の形態により本発明を説明するが、本発明は該実施の形態に限られない。
【００２０】
図３は本発明に実施の形態における用紙処理装置の断面図である。
【００２１】
画像形成装置（後に説明）において画像形成された用紙Ｓは入り口１０１から用紙加湿装置Ｂの搬送路ＨＲ１に導入され、搬送路ＨＲ２、ＨＲ３を選択的に通過して処理され、用紙加湿装置Ｂから排出される。
【００２２】
用紙Ｓに対して、用紙加湿装置Ｂによる処理を行わない処理無しモード及び用紙Ｓに対して、加湿を行わずカール矯正のみを行う第１カール矯正モードにおいては、用紙Ｓは搬送路ＨＲ１、ＨＲ２を通過する。
【００２３】
用紙Ｓに対して、加湿のみを行う加湿モードと、加湿及びカール矯正を行う第２カール矯正モードにおいては、用紙Ｓは搬送路ＨＲ１、ＨＲ３及びＨＲ２の一部を通過する。搬送路ＨＲ２、ＨＲ３の選択は切換ゲート１０２により行われる。
【００２４】
搬送路ＨＲ２にはカール矯正手段１５０、１６０が配置され、カール矯正手段１５０により下カール、即ち、中央部が谷となっているカールが矯正され、カール矯正部１６０において、上カール、即ち、中央部が山となっているカールが矯正される。
【００２５】
搬送路ＨＲ３には、加湿手段１１０が配置される。加湿手段１１０はレール１２０Ａ、１２０Ｂの案内で、装置から引き出し可能にユニットに形成される。
【００２６】
搬送路ＨＲ１においては、用紙ＳはローラＲ１により搬送され、搬送路ＨＲ２においては、用紙ＳはローラＲ２〜Ｒ５により搬送される。搬送路ＨＲ３においては用紙ＳはローラＲ６〜Ｒ１１により搬送される。
【００２７】
加湿手段１１０の下方には、水を収容するタンク１３０が配置され、タンク１３０はレール１３０Ａ、１３０Ｂの案内で装置から引き出し可能なユニットに形成される。
【００２８】
図４は加湿装置Ｂの要部の拡大図である。加湿装置Ｂは加湿手段１１０とタンク１３０とを有する。
【００２９】
搬送路ＨＲ３はＵ字状に形成され、用紙Ｓは搬送路ＨＲ１（図１に示す）からほぼ垂直に下方に進行し、Ｕターンして鉛直方向上方に進行するが上方に進行する搬送路ＨＲ３の部分に左右対称に加湿手段１１０が配置される。互いに接触するように加湿ローラ１１１Ａ、１１１Ｂが配置される。
【００３０】
加湿手段１１０は、一対の加湿手段、即ち、図の左方の加湿手段１１０Ａと右方の加湿手段１１０Ｂからなり、加湿手段１１０Ａは加湿ローラ１１１Ａ、給水ローラ１１２Ａ及び給水部としての給水槽１１４Ａを有し、加湿手段１１０Ｂは加湿ローラ１１１Ｂ、給水ローラ１１２Ｂ及び給水部としての給水槽１１４Ｂを有する。加湿ローラ１１１Ａと１１１Ｂとは互いに接触し、矢印のように回転して用紙Ｓを搬送しつつ、用紙Ｓに水を付与して加湿を行う。なお、給水ローラ１１２Ａ、１１２Ｂと給水槽１１４Ａ、１１４Ｂとの間に中継ローラを介在させ、給水ローラ１１２Ａ、１１２Ｂに水を供給する給水部を給水槽と中継ローラとで構成することもできる。
【００３１】
加湿ローラ１１１Ａには給水ローラ１１２Ａが、加湿ローラ１１１Ｂには給水ローラ１１２Ｂがそれぞれ接触し、給水ローラ１１２Ａは給水槽１１４Ａに収容されている水Ｗに、給水ローラ１１２Ｂは給水槽１１４Ｂに収容されている水Ｗにそれぞれ浸漬している。
【００３２】
１１３Ａ、１１３Ｂは制御部材であり、給水ローラ１１２Ａ、１１２Ｂをスクイズしてこれらの含水量を規制する。
【００３３】
加湿ローラ１１１Ａ、１１１Ｂ、給水ローラ１１２Ａ、１１２Ｂには発泡製でないソリッドゴム、発泡性ゴム等の弾性材料の単層若しくは複層構成のローラ又はゴムに繊維を巻き付けた複層構成のローラが用いられる。加湿ローラ１１１Ａは金属からなる軸芯１１１Ａａとその上に形成されたゴム層１１１Ａｂで構成され、加湿ローラ１１１Ｂは金属からなる軸芯１１１Ｂａとその上に形成されたゴム層１１１Ｂｂで構成され、給水ローラ１１２Ａは金属からなる軸芯１１２Ａａとその上に形成されたゴム層１１２Ａｂで構成され、給水ローラ１１２Ｂは金属からなる軸芯１１２Ｂａとその上に形成されたゴム層１１２Ｂｂで構成される。
【００３４】
制御部材１１３Ａ、１１３Ｂには、回転又は固定の丸棒が用いられる。また、制御部材１１３Ａ、１１３Ｂとして、板状のブレードを用いることもできる。
【００３５】
タンク１３０中の水Ｗはポンプ（図示せず）により給水槽１１４Ａ、１１４Ｂに汲み上げられ、オーバーフローによって、オーバーフロー管１１６からタンク１３０に還流し、給水槽１１４Ａ、１１４Ｂの水位は一定に維持される。なお、給水槽１１４Ａと１１４Ｂとは連通しており、両者における水位は同一レベルに維持される。
【００３６】
加湿処理において、加湿ローラ１１１Ａ、１１１Ｂ、給水ローラ１１２Ａ、１１２Ｂはそれぞれ矢印のように回転して、用紙Ｓの両面に水分を付与して加湿処理を行う。
【００３７】
加湿ローラ１１１Ａ、１１１Ｂ、給水ローラ１１２Ａ、１１２Ｂは図示のように搬送路ＨＲ３を中心に左右対称に配置されているので、給水槽１１４Ａから加湿ローラ１１１Ａに至る給水経路と給水槽１１４Ｂから加湿ローラ１１１Ｂに至る給水経路が、形状及び長さに関して同一になる。
【００３８】
従って、用紙Ｓの両側から均等な給水が行われる。しかも、用紙Ｓは垂直に上昇する搬送路ＨＲ３において加湿が行われるので、用紙Ｓの厚み方向に均等な水分が供給されて、用紙Ｓのフラットネスが良好に維持される。
【００３９】
図５を参照し、加湿手段の加湿作用について説明する。
【００４０】
加湿手段１１０Ａにおいては、給水ローラ１１２Ａが水Ｗの水面と接する位置ｐ１から給水ローラ１１２Ａの表面及び加湿ローラ１１１Ａの表面を経て加湿ローラ１１１Ａが用紙Ｓに接触する加湿位置ｐ２に至る給水経路ＷＨ１と、給水ローラ１１２Ｂが水Ｗの水面と接する位置ｐ３から給水ローラ１１２Ｂの表面及び加湿ローラ１１１Ｂの表面を経て加湿ローラ１１ＢＡが用紙Ｓに接触する加湿位置ｐ２に至る給水経路ＷＨ２はそれらの長さ及び形状において、同一である。従って、加湿ローラ１１１Ａ、１１１Ｂによって、用紙Ｓの両側に付与される水の量は等しく、加湿ローラ１１１Ａ、１１１Ｂや給水ローラ１１２Ａ、１１２Ｂの状態が経時変化により多少変化しても両側における吸水量の比率が変化することはほとんどない。
【００４１】
従って、長期間にわたって、用紙Ｓの両側に均等な量の水が付与され、これによって、長期間安定した加湿が行われる。
【００４２】
１１７Ａ、１１７Ｂは用紙Ｓの両面に乾燥風を吹き付けるファンであり、ファン１１７Ａ、１１７Ｂで用紙Ｓに乾燥風を吹き付けることにより、加湿直後の用紙Ｓから余分な水分を蒸発させ、搬送ローラ等の搬送路形成部材に水分が蓄積するのを防止する。
【００４３】
なお、前記に説明した実施の形態においては、用紙Ｓの鉛直方向、上方に搬送する搬送路に両側に加湿手段１１０Ａ、１１０Ｂを設けたが、鉛直方向下方に用紙を搬送する搬送路の両側に加湿手段を設けることもできる。また、一対の加湿手段は完全な対称配置ではなく、実質的に対称であれば対称配置から多少ずれてもよいことは勿論であり、例えば、左右の加湿手段の高さが異なってもよい。
【００４４】
図６はカール矯正手段１５０、１６０の拡大図である。
【００４５】
カール矯正手段１５０は小径ローラ（例えば半径７ｍｍ）１５１、一対のベルト駆動ローラ１５２、１５３及びベルト駆動ローラ１５２、１５３に張架されたベルト１５４で構成される。１５５はバネかけ軸、１５６は小径ローラ１５１をベルト１５４に押圧する押圧バネである。
【００４６】
１５７は搬送路を切り替える切り替えゲートであり、切り替えゲート１５７は点線の位置にあるときは、カール矯正手段１５０を通らない搬送路ＨＲ２１が選択され、実線の位置にあるときはカール矯正手段１５０を通る搬送路ＨＲ２２が選択される。
【００４７】
搬送路ＨＲ２１は図示のように大きな曲率半径（例えば半径６０ｍｍ）を有するので、用紙Ｓが搬送路ＨＲ２１を通過するときは、カール矯正が行われない。これに対して、小径ローラ１５１とベルト１５４とにより形成される搬送路ＨＲ２２を通るときは、用紙Ｓは小径ローラ１５１とベルト１５４とによる曲げ力を受けてカール矯正される。即ち、中央部が谷となるようにカールした用紙Ｓが矯正された平板状になる。
【００４８】
カール矯正手段１６０は小径ローラ（例えば半径７ｍｍ）１６１、一対のベルト駆動ローラローラ１６２、１６３及びベルト駆動ローラ１６２、１６３に張架されたベルト１６４で構成される。１６５はバネかけ軸、１６６は小径ローラ１６１をベルト１６４に押圧する押圧ローラである。
【００４９】
１６７は搬送路を切り替える切り替えゲートであり、切り替えゲート１６７は点線の位置にあるときは、カール矯正手段１６０を通らない搬送路ＨＲ２３が選択され、実線の位置にあるときはカール矯正手段１６０を通る搬送路ＨＲ２４が選択される。
【００５０】
搬送路ＨＲ２３は図示のように大きな曲率半径（例えば半径６０ｍｍ）を有するので、用紙Ｓが搬送路ＨＲ２３を通過するときは、カール矯正が行われない。これに対して、搬送路ＨＲ２４を通るときは、用紙Ｓは小径ローラ１６１とベルト１６４とによる曲げ力を受けてカール矯正される。即ち、中央部が山となるようにカールしている用紙Ｓが矯正されて平板状になる。
【００５１】
用紙加湿装置Ｂは処理無しモード、加湿処理のみを行う加湿モード、カール矯正のみを行う第１カール矯正モード、加湿とカール矯正とを行う第２カール矯正モードが選択可能である。
【００５２】
処理無しモードにおいては、切り替えゲート１０２により搬送路ＨＲ２が選択されるとともに、切り替えゲート１５７、１６７により搬送路ＨＲ２１、ＨＲ２３がそれぞれ選択されて、用紙搬送が行われる。
【００５３】
加湿処理のみを行うモードにおいては、切換ゲート１０２により搬送路ＨＲ３が選択されるとともに、切り替えゲート１５７、１６７により搬送路ＨＲ２１、ＨＲ２３がそれぞれ選択されて、用紙Ｓは搬送路ＨＲ１からＨＲ３に進行し、加湿手段１１０により加湿処理された後にローラＲ２の位置で搬送路ＨＲ２に進行し、搬送路ＨＲ２１、ＨＲ２３を通過して排紙される。
【００５４】
カール矯正のみを行うモードには、下カール矯正を行うモードと上カール矯正を行うモードがある。
【００５５】
下カール矯正を行うモードでは、切換ゲート１０２により搬送路ＨＲ２が選択されるとともに、切り替えゲート１５７により搬送路ＨＲ２２が選択され、切り替えゲート１６７により搬送路ＨＲ２３が選択される。
【００５６】
用紙Ｓは選択された搬送路を通過し、カール矯正手段１５０により下カールを矯正されて排紙される。
【００５７】
上カール矯正を行うモードでは、切換ゲート１０２により搬送路ＨＲ２が選択されるとともに、切り替えゲート１５７により搬送路ＨＲ２１が選択され、切り替えゲート１６７により搬送路ＨＲ２４が選択される。
【００５８】
用紙Ｓは選択された搬送路を通過し、カール矯正手段１６０により上カールを矯正されて排紙される。
【００５９】
加湿処理及びカール矯正を行うモードには、下カール矯正を行うモードと上カール矯正を行うモードがある。
【００６０】
下カール矯正を行うモードでは、切換ゲート１０２により搬送路ＨＲ３が選択されるとともに、切り替えゲート１５７により搬送路ＨＲ２２が選択され、切り替えゲート１６７により搬送路ＨＲ２３が選択される。
【００６１】
用紙Ｓは搬送路ＨＲ３を通過して、加湿手段１１０により加湿処理された後に、カール矯正手段１５０により下カールを矯正されて排紙される。
【００６２】
上カール矯正を行うモードでは、切換ゲート１０２により搬送路ＨＲ３が選択されるとともに、切り替えゲート１５７により搬送路ＨＲ２１が選択され、切り替えゲート１６７により搬送路ＨＲ２４が選択される。
【００６３】
用紙Ｓは選択ＨＲ３を通過して、加湿手段１１０により加湿処理された後に、カール矯正手段１６０により上カール矯正されて排紙される。
【００６４】
図７は画像形成装置Ａと、用紙加湿装置Ｂと、用紙後処理装置としての製本装置Ｃとを備えた本発明の実施の形態に係る画像形成システムの全体構成図である。
【００６５】
画像形成装置Ａは、回転する像担持体１の周囲に、帯電手段２、像露光手段（書き込み手段）３、現像手段４、転写手段５Ａ、除電手段５Ｂ、及びクリーニング手段６を配置した画像形成手段を有する。画像形成手段は、帯電手段２によって像担持体１の表面に一様帯電を行った後に、像露光手段３のレーザビームによって原稿から読み取られた画像データに基づく露光走査を行って潜像を形成し、該潜像を現像手段４により反転現像して像担持体１の表面にトナー像を形成する。
【００６６】
用紙収納部７Ａから給紙された用紙Ｓは転写位置へと送られる。転写位置において転写手段５Ａにより前記トナー像が用紙Ｓ上に転写される。その後に、用紙Ｓは除電手段５Ｂにより裏面の電荷が消去されて像担持体１から分離され、搬送部７Ｂにより搬送され、引き続き定着手段８により加熱定着され、排紙ローラ７Ｃから排出される。
【００６７】
定着手段８は加熱ローラ８Ａ、加熱ローラ８Ａに圧接する加圧ローラ８Ｂ及びヒータ８Ｃを有し、ヒータ８Ｃにより加熱された加熱ローラ８Ａにより未定着トナー像を加熱し、トナーを溶融させてトナー像を用紙Ｓに定着する。
【００６８】
用紙Ｓの両面に画像形成を行う場合には、定着手段８により加熱定着された用紙Ｓを、搬送路切り替え板７Ｄにより通常の排紙通路から分岐し、反転搬送部７Ｅにおいてスイッチバックして表裏反転した後、再び画像形成部を通過し、用紙Ｓの裏面に画像を形成し、定着手段８を経て、排紙ローラ７Ｃから装置外に排出される。排紙ローラ７Ｃから排出された用紙Ｓは、糊付け製本装置Ｂに送り込まれる。
【００６９】
像担持体１の画像処理後の表面は、クリーニング手段６により表面に残留している現像剤が除去され、次の画像形成に備える。
【００７０】
用紙加湿装置Ｂは前記に説明したように、処理を行うことなく、用紙Ｓを搬送するか又は加湿処理のみを行う加湿モード、カール矯正のみを行う第１カール矯正モードもしくは加湿とカール矯正とを行う第２カール矯正モードでの用紙処理を行う。
【００７１】
これらのモードの選択は、画像形成装置Ａの操作部（図示せず）における設定又はネットワークを介した外部機器からの指令により選択される。
【００７２】
製本装置Ｃは、用紙搬送手段２１０、排紙手段２２０、表紙供給手段２３０、用紙束収容手段２４０、用紙束搬送手段２５０、糊塗布手段２６０、表紙貼付手段２７０、表紙折り曲げ手段２８０、冊子排出手段２９０、から構成されている。前記各手段は、糊付け製本装置本体内の垂直方向に縦列配置されている。
【００７３】
用紙搬送が設定されると、用紙束収容手段２４０への搬送路を遮断され、排紙手段２２０への搬送路を開放する。
【００７４】
製本モードが設定されると、用紙Ｓは用紙束収容手段２４０の所定位置に収容され順次積載されて、所定枚数の用紙Ｓから成る用紙束が形成される。用紙束収容手段２４０上の用紙束は用紙束保持手段２５０に送られ、用紙束保持手段２５０が回転してほぼ垂直になった状態で、糊塗布手段２６０により用紙束の底面に糊が塗布されて用紙束が束ねられる。
【００７５】
束ねられた用紙束に対して、表紙貼り付け手段２７０から表紙が供給されて表紙が接合され、表紙折り曲げ手段２８０により表紙が折り曲げられて冊子が形成される。
【００７６】
形成された冊子は、冊子排出手段２９０により製本装置Ｃから排出される。
【００７７】
なお、製本装置Ｃは特開２００３−２０９８６９号公報に記載されている。
【図面の簡単な説明】
【００７８】
【図１】用紙の波打ち及びカールを示す図である。
【図２】用紙内の水分の移動を説明する図である。
【図３】本発明に実施の形態における用紙加湿装置の断面図である。
【図４】加湿装置の要部の拡大図である。
【図５】加湿作用を説明する図である。
【図６】カール矯正手段の拡大図である。
【図７】本発明の実施の形態に係る画像形成システムの全体構成図である。
【符号の説明】
【００７９】
１１０、１１０Ａ、１１０Ｂ  加湿手段
１５０、１６０、カール矯正手段
１１１Ａ、１１１Ｂ  加湿ローラ
１１２Ａ、１１２Ｂ  加湿ローラ
１１３Ａ、１１３Ｂ  規制部材
１１４Ａ、１１４Ｂ  給水槽
Ａ  画像形成装置
Ｂ  用紙加湿装置
Ｃ  製本装置
ＨＲ１〜ＨＲ３、ＨＲ２１〜ＨＲ２４  搬送路
【図１】
2007286151.tif 000003
【図２】
2007286151.tif 000004
【図３】
2007286151.tif 000005
【図４】
2007286151.tif 000006
【図５】
2007286151.tif 000007
【図６】
2007286151.tif 000008
【図７】
2007286151.tif 000009